(57)【特許請求の範囲】
【請求項１】
軸回りに回転可能な放射線源を軸回りに移動させて放射線検出器の検出面に対して照射する放射線の放射線軸の入射角度を、当該入射角度を異ならせる入射角度範囲内で、前記検出面の法線方向となる第１角度、及び前記第１角度と異なる複数の第２角度を含む、複数の角度とする制御を行う線源制御部と、
前記入射角度が前記第１角度とされた前記放射線源の位置で放射線画像を複数回撮影させ、前記入射角度が前記第２角度とされた前記放射線源の位置毎に前記複数回より少ない回数で撮影させる制御を行う撮影制御部と、
撮影された複数の放射線画像に基づいて、トモシンセシスによる再構成画像及び合成２次元画像の少なくとも一方を生成する生成部と、を備え、
前記撮影制御部は、前記入射角度範囲が広いほど、前記入射角度が前記第１角度の場合の撮影回数を多くする、
トモシンセシス撮影用の制御装置。
【請求項２】
前記生成部は前記合成２次元画像を生成する場合、前記撮影によって得られた全ての放射線画像を用いて生成するか、または、前記入射角度が前記第１角度とされた撮影によって得られた複数の放射線画像のみを用いて生成する、
請求項１に記載の制御装置。
【請求項３】
前記撮影制御部は、前記入射角度が前記第１角度とされた前記放射線源の位置で前記放射線画像を撮影する場合、前記放射線源の移動を停止させて撮影を行い、前記入射角度が前記第２角度とされた前記放射線源の位置で前記放射線画像を撮影する場合、前記放射線源を移動させながら撮影を行う、
請求項１又は２に記載の制御装置。
【請求項４】
前記入射角度が前記第１角度とされた前記放射線源の位置、及び前記入射角度が前記第２角度とされた前記放射線源の位置毎の１回の撮影毎に前記放射線源から被写体に照射する前記放射線の線量は同一の線量である、
請求項１から請求項３のいずれか１項に記載の制御装置。
【請求項５】
前記入射角度が前記第２角度とされた前記放射線源の位置毎の撮影における前記放射線源から被写体に照射する前記放射線の線量と、
前記入射角度が前記第１角度とされた前記放射線源の位置での複数回の撮影のうち、前記入射角度が前記第２角度とされた前記放射線源の位置毎の撮影回数と同数の撮影における前記放射線源から前記被写体に照射する前記放射線の線量と、が同一である、
請求項１から請求項４のいずれか１項に記載の制御装置。
【請求項６】
前記入射角度が前記第２角度とされた前記放射線源の位置毎の撮影回数は１回ずつである、
請求項１から請求項５のいずれか１項に記載の制御装置。
【請求項７】
放射線を出射する放射線源と、
検出面に入射された放射線に基づいて放射線画像を撮影する放射線検出器と、
請求項１から請求項６のいずれか１項に記載の制御装置と、
を備えた放射線画像撮影装置。
【請求項８】
軸回りに回転可能な放射線源を軸回りに移動させて放射線検出器の検出面に対して照射する放射線の放射線軸の入射角度を、当該入射角度を異ならせる入射角度範囲内で、前記検出面の法線方向となる第１角度、及び前記第１角度と異なる複数の第２角度を含む、複数の角度とする工程と、
前記入射角度が前記第１角度とされた前記放射線源の位置で放射線画像を複数回撮影させ、前記入射角度が前記第２角度とされた前記放射線源の位置毎に前記複数回より少ない回数で撮影する工程と、
撮影された複数の放射線画像に基づいて、トモシンセシスによる再構成画像及び合成２次元画像の少なくとも一方を生成する工程と、を含み
前記撮影する工程は、前記入射角度範囲が広いほど、前記入射角度が前記第１角度の場合の撮影回数を多くする、
トモシンセシス撮影用の放射線画像撮影方法。
【請求項９】
コンピュータに、
軸回りに回転可能な放射線源を軸回りに移動させて放射線検出器の検出面に対して照射する放射線の放射線軸の入射角度を、当該入射角度を異ならせる入射角度範囲内で、前記検出面の法線方向となる第１角度、及び前記第１角度と異なる複数の第２角度を含む、複数の角度とさせる手順と、
前記入射角度が前記第１角度とされた前記放射線源の位置で放射線画像を複数回撮影させ、前記入射角度が前記第２角度とされた前記放射線源の位置毎に前記複数回より少ない回数で撮影させる手順と、
撮影された複数の放射線画像に基づいて、トモシンセシスによる再構成画像及び合成２次元画像の少なくとも一方を生成する手順と、を実行させ、
前記撮影させる手順は、前記入射角度範囲が広いほど、前記入射角度が前記第１角度の場合の撮影回数を多くする、
トモシンセシス撮影用の放射線画像撮影プログラム。
【請求項１０】
軸回りに回転可能な放射線源を軸回りに移動させて放射線検出器の検出面に対して照射する放射線の放射線軸の入射角度を、当該入射角度を異ならせる入射角度範囲内で、前記検出面の法線方向となる第１角度、及び前記第１角度と異なる複数の第２角度を含む、複数の角度とする制御を行う線源制御部と、
前記入射角度が前記第１角度とされた前記放射線源の位置で放射線画像を複数回撮影させ、前記入射角度が前記第２角度とされた前記放射線源の位置毎に前記複数回より少ない回数で撮影させる制御を行う撮影制御部と、
撮影された複数の放射線画像に基づいて、トモシンセシスによる再構成画像及び合成２次元画像の少なくとも一方を生成する生成部と、を備え
前記入射角度が前記第１角度とされた前記放射線源の位置、及び前記入射角度が前記第２角度とされた前記放射線源の位置毎の１回の撮影毎に前記放射線源から被写体に照射する前記放射線の線量は同一の線量である、
トモシンセシス撮影用の制御装置。
【請求項１１】
前記生成部は前記合成２次元画像を生成する場合、前記撮影によって得られた全ての放射線画像を用いて生成するか、または、前記入射角度が前記第１角度とされた撮影によって得られた複数の放射線画像のみを用いて生成する、
請求項１０に記載の制御装置。
【請求項１２】
前記撮影制御部は、前記入射角度が前記第１角度とされた前記放射線源の位置で前記放射線画像を撮影する場合、前記放射線源の移動を停止させて撮影を行い、前記入射角度が前記第２角度とされた前記放射線源の位置で前記放射線画像を撮影する場合、前記放射線源を移動させながら撮影を行う、
請求項１０又は１１に記載の制御装置。
【請求項１３】
軸回りに回転可能な放射線源を軸回りに移動させて放射線検出器の検出面に対して照射する放射線の放射線軸の入射角度を、当該入射角度を異ならせる入射角度範囲内で、前記検出面の法線方向となる第１角度、及び前記第１角度と異なる複数の第２角度を含む、複数の角度とする制御を行う線源制御部と、
前記入射角度が前記第１角度とされた前記放射線源の位置で放射線画像を複数回撮影させ、前記入射角度が前記第２角度とされた前記放射線源の位置毎に前記複数回より少ない回数で撮影させる制御を行う撮影制御部と、
撮影された複数の放射線画像に基づいて、トモシンセシスによる再構成画像及び合成２次元画像の少なくとも一方を生成する生成部と、を備え
前記入射角度が前記第２角度とされた前記放射線源の位置毎の撮影における前記放射線源から被写体に照射する前記放射線の線量と、
前記入射角度が前記第１角度とされた前記放射線源の位置での複数回の撮影のうち、前記入射角度が前記第２角度とされた前記放射線源の位置毎の撮影回数と同数の撮影における前記放射線源から前記被写体に照射する前記放射線の線量と、が同一である、
トモシンセシス撮影用の制御装置。
【請求項１４】
前記生成部は前記合成２次元画像を生成する場合、前記撮影によって得られた全ての放射線画像を用いて生成するか、または、前記入射角度が前記第１角度とされた撮影によって得られた複数の放射線画像のみを用いて生成する、
請求項１３に記載の制御装置。
【請求項１５】
前記撮影制御部は、前記入射角度が前記第１角度とされた前記放射線源の位置で前記放射線画像を撮影する場合、前記放射線源の移動を停止させて撮影を行い、前記入射角度が前記第２角度とされた前記放射線源の位置で前記放射線画像を撮影する場合、前記放射線源を移動させながら撮影を行う、
請求項１３又は１４に記載の制御装置。
【請求項１６】
軸回りに回転可能な放射線源を軸回りに移動させて放射線検出器の検出面に対して照射する放射線の放射線軸の入射角度を、当該入射角度を異ならせる入射角度範囲内で、前記検出面の法線方向となる第１角度、及び前記第１角度と異なる複数の第２角度を含む、複数の角度とする制御を行う線源制御部と、
前記入射角度が前記第１角度とされた前記放射線源の位置で放射線画像を複数回撮影させ、前記入射角度が前記第２角度とされた前記放射線源の位置毎に前記複数回より少ない回数で撮影させる制御を行う撮影制御部と、
撮影された複数の放射線画像に基づいて、トモシンセシスによる再構成画像及び合成２次元画像の少なくとも一方を生成する生成部と、を備え
前記入射角度が前記第２角度とされた前記放射線源の位置毎の撮影回数は１回ずつである、
トモシンセシス撮影用の制御装置。
【請求項１７】
前記生成部は前記合成２次元画像を生成する場合、前記撮影によって得られた全ての放射線画像を用いて生成するか、または、前記入射角度が前記第１角度とされた撮影によって得られた複数の放射線画像のみを用いて生成する、
請求項１６に記載の制御装置。
【請求項１８】
前記撮影制御部は、前記入射角度が前記第１角度とされた前記放射線源の位置で前記放射線画像を撮影する場合、前記放射線源の移動を停止させて撮影を行い、前記入射角度が前記第２角度とされた前記放射線源の位置で前記放射線画像を撮影する場合、前記放射線源を移動させながら撮影を行う、
請求項１６又は１７に記載の制御装置。
【発明の詳細な説明】
【技術分野】
【０００１】
本発明は、制御装置、放射線画像撮影装置、放射線画像撮影方法、及び放射線画像撮影プログラムに関する。
【背景技術】
【０００２】
一般に、医療診断等を目的とした放射線撮影を行う放射線画像撮影装置が知られている。この種の放射線画像撮影装置として、被写体に対して異なる複数の入射角度から放射線を照射し、各入射角度において放射線画像（投影画像）を撮影するトモシンセシス撮影を行う技術が知られている。
【０００３】
トモシンセシス撮影では、放射線検出器の放射線の検出面に対する放射線の入射角度を所定範囲内で異ならせて被写体に放射線を照射して複数の投影画像を撮影し、各投影画像から、擬似的な２次元画像である合成２次元画像を生成したり、投影画像を再構成して再構成画像を生成したりすることが行われている。この技術は、例えば、特許文献１及び特許文献２に記載されている。
【先行技術文献】
【特許文献】
【０００４】
【特許文献１】特表２０００−５１５０４６号公報
【特許文献２】特表２０１４−５０７２５０号公報
【発明の概要】
【発明が解決しようとする課題】
【０００５】
しかしながら、上記従来の技術では、投影画像から生成される合成２次元画像及び再構成画像は、生成に用いた投影画像の数に応じてノイズが積算されてしまう。そのため、例えば、生成した画像を読影した場合におけるノイズと石灰化との識別が難しくなることがある。
【０００６】
また、合成２次元画像及び再構成画像は一般に濃度分解能が低く、放射線の吸収が大きい異常所見（例えば、腫瘤等）の存在が分かりづらくなることがある。
【０００７】
さらに、合成２次元画像は一般に空間分解能が低いため、被写体が乳房である場合の石灰化のように、形状で良性か悪性かを鑑別する所見を行う場合に形状が把握しづらくなることがある。
【０００８】
本発明は、上記事実を考慮して成されたもので、最終的に生成される放射線画像の画質を改善することが可能な制御装置、放射線画像撮影装置、放射線画像撮影方法、及び放射線画像撮影プログラムを提供することを目的とする。
【課題を解決するための手段】
【０００９】
上記目的を達成するために本発明のトモシンセシス撮影用の制御装置は、軸回りに回転可能な放射線源を軸回りに移動させて放射線検出器の検出面に対して照射する放射線の放射線軸の入射角度を、入射角度を異ならせる入射角度範囲内で、検出面の法線方向となる第１角度、及び第１角度と異なる複数の第２角度を含む、複数の角度とする制御を行う線源制御部と、入射角度が第１角度とされた放射線源の位置で放射線画像を複数回撮影させ、入射角度が第２角度とされた放射線源の位置毎に複数回より少ない回数で撮影させる制御を行う撮影制御部と、撮影された複数の放射線画像に基づいて、トモシンセシスによる再構成画像及び合成２次元画像の少なくとも一方を生成する生成部と、を備え、撮影制御部は、入射角度範囲が広いほど、入射角度が第１角度の場合の撮影回数を多くする。
【００１２】
本発明の制御装置の生成部は合成２次元画像を生成する場合、撮影によって得られた全ての放射線画像を用いて生成するか、または、入射角度が第１角度とされた撮影によって得られた複数の放射線画像のみを用いて生成してもよい。
【００１３】
本発明の制御装置の撮影制御部は、入射角度が第１角度とされた放射線源の位置で放射線画像を撮影する場合、放射線源の移動を停止させて撮影を行い、入射角度が第２角度とされた放射線源の位置で放射線画像を撮影する場合、放射線源を移動させながら撮影を行ってもよい。
【００１４】
本発明の制御装置は、入射角度が第１角度とされた放射線源の位置、及び入射角度が第２角度とされた放射線源の位置毎の１回の撮影毎に放射線源から被写体に照射する放射線の線量は同一の線量であってもよい。
【００１５】
なお、同一の線量とは、同一の線量で撮影されるように予め定めた線量のことをいう。具体的には、予め定めた線量となるように管電流と照射時間とを設定したり、フォトタイマの動作条件を設定したりする。
【００１６】
本発明の制御装置は、入射角度が第２角度とされた放射線源の位置毎の撮影における放射線源から被写体に照射する放射線の線量と、入射角度が第１角度とされた放射線源の位置での複数回の撮影のうち、入射角度が第２角度とされた放射線源の位置毎の撮影回数と同数の撮影における放射線源から被写体に照射する放射線の線量と、が同一であってもよい。
【００１７】
なお、同一の線量とは、同一の線量で撮影されるように予め定めた線量のことをいう。具体的には、予め定めた線量となるように管電流と照射時間とを設定したり、フォトタイマの動作条件を設定したりする。
【００１８】
本発明の制御装置は、入射角度が第２角度とされた放射線源の位置毎の撮影回数は１回ずつであってもよい。
【００１９】
また、本発明の放射線画像撮影装置は、放射線を出射する放射線源と、検出面に入射された放射線に基づいて放射線画像を撮影する放射線検出器と、本発明の制御装置と、を備える。
【００２０】
また、本発明のトモシンセシス撮影用の放射線画像撮影方法は、軸回りに回転可能な放射線源を軸回りに移動させて放射線検出器の検出面に対して照射する放射線の放射線軸の入射角度を、当該入射角度を異ならせる入射角度範囲内で、検出面の法線方向となる第１角度、及び第１角度と異なる複数の第２角度を含む、複数の角度とする工程と、入射角度が第１角度とされた放射線源の位置で放射線画像を複数回撮影させ、入射角度が第２角度とされた放射線源の位置毎に複数回より少ない回数で撮影する工程と、撮影された複数の放射線画像に基づいて、トモシンセシスによる再構成画像及び合成２次元画像の少なくとも一方を生成する工程と、を含み、撮影する工程は、入射角度範囲が広いほど、入射角度が第１角度の場合の撮影回数を多くするものである。
【００２１】
また、本発明のトモシンセシス撮影用の放射線画像撮影プログラムは、コンピュータに、軸回りに回転可能な放射線源を軸回りに移動させて放射線検出器の検出面に対して照射する放射線の放射線軸の入射角度を、当該入射角度を異ならせる入射角度範囲内で、検出面の法線方向となる第１角度、及び第１角度と異なる複数の第２角度を含む、複数の角度とさせる手順と、入射角度が第１角度とされた放射線源の位置で放射線画像を複数回撮影させ、入射角度が第２角度とされた放射線源の位置毎に複数回より少ない回数で撮影させる手順と、撮影された複数の放射線画像に基づいて、トモシンセシスによる再構成画像及び合成２次元画像の少なくとも一方を生成する手順と、を実行させるためのプログラムであり、撮影させる手順は、入射角度範囲が広いほど、入射角度が第１角度の場合の撮影回数を多くする。
【発明の効果】
【００２２】
本発明では、最終的に生成される放射線画像の画質を改善することが可能な制御装置、放射線画像撮影装置、放射線画像撮影方法、及び放射線画像撮影プログラムを提供することができる。
【図面の簡単な説明】
【００２３】
【図１】第１実施形態に係る放射線画像撮影装置の構成例を示す側面図である。
【図２】図１に示した放射線画像撮影装置の構成例を示す前面図である。
【図３】第１実施形態に係る放射線画像撮影装置におけるトモシンセシス撮影を説明するための図である。
【図４】第１実施形態に係る放射線画像撮影システムの構成例を示すブロック図である。
【図５】第１実施形態に係る放射線画像撮影装置で行われる撮影処理の一例を示すフローチャートである。
【図６】第１実施形態に係るトモシンセシス撮影を説明するための前面図である。
【図７】第１実施形態に係る放射線画像撮影装置で行われる生成処理の一例を示すフローチャートである。
【図８】第１実施形態に係る放射線画像撮影装置で行われる生成処理の他の一例を示すフローチャートである。
【図９】第２実施形態に係る放射線画像撮影装置で行われる撮影処理の一例を示すフローチャートである。
【図１０】第２実施形態に係るトモシンセシス撮影を説明するための前面図である。
【発明を実施するための形態】
【００２４】
以下、図面を参照して本発明の実施形態を詳細に説明する。なお、本実施形態は本発明を限定するものではない。また、以下では「同一」という場合は、誤差とみなせる範囲も含んで同一であることをいう。
［第１実施形態］
まず、本実施形態の放射線画像撮影装置について説明する。図１〜図３に示すように、本実施形態の放射線画像撮影装置１０は、被検者Ｗが立った立位状態において、被検者Ｗの乳房Ｎを被写体として放射線Ｒ（例えば、Ｘ線）により撮影する装置である。放射線画像撮影装置１０の具体例としては、マンモグラフィが挙げられる。なお、以下では、撮影の際に放射線画像撮影装置１０に被検者Ｗが対面した場合の被検者Ｗに近い側を放射線画像撮影装置１０の装置前方側とし、放射線画像撮影装置１０に被検者Ｗが対面した場合の被検者Ｗから離れた側を放射線画像撮影装置１０の装置後方側とし、放射線画像撮影装置１０に被検者Ｗが対面した場合の被検者Ｗの左右方向を放射線画像撮影装置１０の装置左右方向として説明する（図１及び図２の各矢印参照）。
【００２５】
なお、放射線画像撮影装置１０としては、被検者Ｗがイス（車イスを含む）等に座った座位状態において、その被検者Ｗの乳房Ｎを撮影する装置であってもよい。
【００２６】
放射線画像撮影装置１０は、図１に示すように、装置前方側に設けられた側面視略Ｃ字状の測定部１２と、測定部１２を装置後方側から支える基台部１４と、を備える。
【００２７】
測定部１２は、立位状態にある被検者Ｗの乳房Ｎと接する平面状の撮影面２０が形成された撮影台２２と、乳房Ｎを撮影台２２の撮影面２０との間で圧迫するための圧迫板２６と、撮影台２２及び圧迫板２６を支持する保持部２８と、を備える。なお、圧迫板２６には、放射線Ｒを透過する部材が用いられる。
【００２８】
また、測定部１２は、管球等を含み、乳房Ｎに対して放射線Ｒを照射する放射線源２４と、保持部２８とは分離され、放射線源２４を支持する支持部２９と、を備えている。
【００２９】
また、測定部１２には軸１６が設けられており、測定部１２が基台部１４に対して回転をすることが可能である。軸１６は、支持部２９に対して固定されており、軸１６と支持部２９とが一体となって回転する。
【００３０】
軸１６及び保持部２８にそれぞれギアが設けられ、このギア同士の噛合状態・非噛合状態を切替えることにより、保持部２８と軸１６とが連結されて一体に回転する状態と、軸１６が保持部２８と分離されて空転する状態とに切り替えることができる。なお、軸１６の動力の伝達・非伝達の切り替えは、上記ギアに限らず、種々の機械要素を用いることができる。
【００３１】
保持部２８は、撮影面２０と放射線源２４とを所定間隔離して撮影台２２と放射線源２４とを支持する。また、保持部２８は、圧迫板２６も保持しており、圧迫板２６が保持部２８をスライド移動することにより、圧迫板２６と撮影面２０との間隔が変化する。
【００３２】
乳房Ｎが接する撮影面２０は、放射線透過性や強度の観点から、例えば、カーボンで形成されている。撮影台２２の内部には、乳房Ｎ及び撮影面２０を通過した放射線Ｒを検出する放射線検出器３０が配置されている。放射線検出器３０が検出した放射線Ｒに基づいて放射線画像が生成される。本実施形態の放射線検出器３０の種類は、特に限定されず、例えば、放射線Ｒを光に変換し、変換した光を電荷に変換する間接変換方式の放射線検出器であってもよいし、放射線Ｒを直接電荷に変換する直接変換方式の放射線検出器であってもよい。
【００３３】
本実施形態の放射線画像撮影装置１０は、図２及び図３に示すように、放射線Ｒの入射角度を所定範囲内で異ならせて放射線源２４から放射線Ｒを照射し、異なる入射角度毎の撮影（いわゆるトモシンセシス撮影）を行うことができる。ここで、「入射角度」とは、放射線検出器３０の検出面３１の法線と放射線軸とがなす角度をいう。従って、法線と放射線軸とが同一の場合、入射角度が０度となる。また、ここでは、放射線検出器３０の検出面３１は、撮影面２０に略平行な面とする。なお、入射角度における本発明の第１角度の一例が０度であり、第２角度の一例が０度以外の複数の角度である。
【００３４】
以下では、１回のトモシンセシス撮影における入射角度を異ならせる範囲を「入射角度範囲」という。入射角度範囲の具体例としては、放射線検出器３０の検出面３１の法線に対して±１０度や±２０度の範囲等が挙げられる。また、トモシンセシス撮影により撮影された各放射線画像を「投影画像」という。
【００３５】
なお、本実施形態では、図３に示すように角度αから所定角度θずつ放射線源２４の位置を移動させて、放射線源２４の位置がＰ１からＰｎのｎ箇所の位置（撮影位置）で撮影が行われる。
【００３６】
本実施形態の放射線画像撮影装置１０では、入射角度が０度の場合以外は、放射線源２４を連続的に移動させながら各撮影位置での撮影を行う。放射線源２４を連続的に移動させての撮影方法としては、例えば、放射線源２４を移動させながら、停止することなく、各撮影位置に達した場合に、放射線源２４が乳房Ｎに対して放射線Ｒを出射し、この出射のタイミングに同期して放射線検出器３０により撮影すればよい。
【００３７】
次に、本実施形態の放射線画像撮影システム１の構成について説明する。
【００３８】
図４には、本実施形態の放射線画像撮影システム１の構成の一例を表すブロック図を示す。図４に示すように本実施形態の放射線画像撮影システム１は、放射線画像撮影装置１０及びコンソール５０を備える。
【００３９】
コンソール５０は、無線通信ＬＡＮ（Local Area Network）等を介して外部システム等から取得した撮影メニューや、その他の各種情報等を用いて、放射線画像撮影装置１０の制御を行う。
【００４０】
本実施形態のコンソール５０は、サーバー・コンピュータである。図４に示すように、コンソール５０は、制御部６０、記憶部６２、Ｉ／Ｆ（InterFace)部６４、表示部駆動部６６、表示部６８、操作入力検出部７０、及び操作部７２を備えている。制御部６０、記憶部６２、Ｉ／Ｆ部６４、表示部駆動部６６、及び操作入力検出部７０はシステムバスやコントロールバス等のバス７３を介して相互に各種情報の授受が可能に接続されている。
【００４１】
本実施形態の制御部６０は、コンソール５０の全体の動作を制御する。本実施形態の制御部６０は、ＣＰＵ（Central Processing Unit）６０Ａ、ＲＯＭ（Read Only Memory）６０Ｂ、及びＲＡＭ（Random Access Memory）６０Ｃを備える。ＲＯＭ６０Ｂには、ＣＰＵ６０Ａで実行される各種の処理プログラム等が予め記憶されている。ＲＡＭ６０Ｃは、各種データを一時的に記憶する。
【００４２】
記憶部６２には、放射線画像撮影装置１０で撮影された放射線画像の画像データや、その他の各種情報等が記憶される。記憶部６２の具体例としては、ＨＤＤ（Hard Disk Drive）やＳＳＤ（Solid State Drive）等が挙げられる。
【００４３】
Ｉ／Ｆ部６４は、無線通信または有線通信により、放射線画像撮影装置１０や外部のシステム（ＲＩＳ（Radiology Information System）等）との間で各種情報の通信を行う。
【００４４】
表示部６８は、各種情報を表示する。表示部駆動部６６は、表示部６８への各種情報の表示を制御する。
【００４５】
操作部７２は、放射線Ｒの曝射指示を含む放射線画像の撮影等に関する指示や各種情報等をユーザが入力するために用いられる。なお、本実施形態では、放射線画像撮影システム１（放射線画像撮影装置１０）により撮影を行う技師や医師等を「ユーザ」という。
【００４６】
操作部７２は特に限定されるものではなく、例えば、各種スイッチ、タッチパネル、タッチペン、及びマウス等が挙げられる。なお、操作部７２と表示部６８とを一体化してタッチパネルディスプレイとしてもよい。操作入力検出部７０は、操作部７２に対する操作状態を検出する。
【００４７】
一方、本実施形態の放射線画像撮影装置１０は、放射線源２４、放射線検出器３０、制御部４０、記憶部４２、Ｉ／Ｆ部４４、線源駆動部４６、及び操作パネル４８を備える。本実施形態では、一例として、放射線画像撮影装置１０が本発明の制御装置の機能を備えている。
【００４８】
放射線源２４、放射線検出器３０、制御部４０、記憶部４２、Ｉ／Ｆ部４４、線源駆動部４６、及び操作パネル４８は、システムバスやコントロールバス等のバス４９を介して相互に各種情報の授受が可能に接続されている。
【００４９】
本実施形態の制御部４０は、放射線画像撮影装置１０の全体の動作を制御する。また、本実施形態の制御部４０は、放射線画像の撮影を行う場合に、放射線源２４及び放射線検出器３０を制御する。本実施形態の制御部４０は、ＣＰＵ４０Ａ、ＲＯＭ４０Ｂ、及びＲＡＭ４０Ｃを備える。ＲＯＭ４０Ｂには、ＣＰＵ４０Ａで実行される、後述する撮影処理プログラム及び生成処理プログラムを含む各種のプログラム等が予め記憶されている。ＲＡＭ４０Ｃは、各種データを一時的に記憶する。本実施形態の放射線画像撮影システム１では、ＣＰＵ４０ＡがＲＯＭ４０Ｂに記憶されている撮影処理プログラムを実行することにより、制御部４０が線源制御部及び撮影制御部として機能する。本実施形態の撮影処理プログラムが本発明の放射線画像撮影プログラムの一例である。
【００５０】
記憶部４２には、放射線検出器３０により撮影された放射線画像の画像データや、その他の各種情報等が記憶される。記憶部４２の具体例としては、ＨＤＤやＳＳＤ等が挙げられる。
【００５１】
Ｉ／Ｆ部４４は、無線通信または有線通信により、コンソール５０との間で各種情報の通信を行う。
【００５２】
なお、本実施の形態では、放射線画像撮影装置１０の制御部４０及びコンソール５０の制御部６０に格納される各種プログラムは、予め制御部４０及び制御部６０のＲＯＭ（４０Ｂ、６０Ｂ）に格納されているがこれに限らない。各種プログラムは、例えば、プログラムをＣＤ−ＲＯＭ（Compact Disk Read Only Memory）やリムーバブルディスク等の記録媒体に記憶しておき、この記録媒体からＲＯＭ（４０Ｂ、６０Ｂ）等にインストールしてもよい。また、インターネット等の通信回線を介して外部装置からＲＯＭ（４０Ｂ、６０Ｂ）等にインストールしてもよい。
【００５３】
線源駆動部４６は、上記軸１６を回転させることにより、放射線源２４を入射角度に応じた位置に移動させる。
【００５４】
操作パネル４８には、ユーザが被検者Ｗの乳房Ｎを挟みながら圧迫板２６を上下させるための圧迫指示を受け付ける機能が設けられている。操作パネル４８は、例えば、放射線画像撮影装置１０の撮影台２２に複数のスイッチとして設けられている。なお、操作パネル４８は、タッチパネルとして設けられてもよい。
【００５５】
次に、本実施形態の放射線画像撮影装置１０の作用について、図面を参照して説明する。
【００５６】
まず、本実施形態の放射線画像撮影システム１の放射線画像撮影装置１０で行われる撮影処理について説明する。
【００５７】
本実施形態の放射線画像撮影システム１では、被検者Ｗの乳房Ｎの撮影を開始する場合、ユーザはコンソール５０の操作部７２を用いて撮影の開始を指示する。操作部７２により入力された撮影開始の指示は、操作入力検出部７０で検出され、Ｉ／Ｆ部６４を介して放射線画像撮影装置１０に送信される。また、ユーザは、放射線画像撮影装置１０の撮影台２２の撮影面２０上に被検者Ｗの乳房Ｎをポジショニングする。
【００５８】
本実施形態の放射線画像撮影装置１０では、コンソール５０から放射線画像の撮影開始の指示をＩ／Ｆ部４４を介して受信した場合に、撮影処理を実行する。図５には、本実施形態の放射線画像撮影装置１０の制御部４０によって実行される撮影処理の一例を表したフローチャートが示されている。本実施形態の放射線画像撮影装置１０では、制御部４０のＣＰＵ４０ＡがＲＯＭ４０Ｂに記憶されている撮影処理プログラムを実行することにより、撮影処理を実行する。
【００５９】
ステップＳ１００で制御部４０は、撮影条件を取得する。撮影条件には、撮影の種類がトモシンセシス撮影か通常撮影（詳細後述）かを表す情報、管電圧、管電流、照射時間、及び線量等を含む放射線源２４による放射線Ｒの曝射条件と、姿勢情報等の放射線画像の撮影に関する情報と、が含まれている。本実施形態において姿勢情報とは、放射線源２４の姿勢に関する情報であり、乳房Ｎに対してトモシンセシス撮影を行う場合の放射線源２４の撮影位置（入射角度及び入射角度範囲を含む）を表す情報が含まれている。
【００６０】
撮影条件は、被検者Ｗや乳房Ｎに関する被写体情報と共に撮影メニューに含まれている。そのため、コンソール５０がＲＩＳ等から撮影メニューを取得した場合は、制御部４０は、Ｉ／Ｆ部４４を介してコンソール５０から撮影条件を取得する。また、コンソール５０の操作部７２等を用いてユーザが撮影条件を設定した場合も、制御部４０は、Ｉ／Ｆ部４４を介してコンソール５０から撮影条件を取得する。
【００６１】
なお、撮影条件が放射線画像撮影装置１０の記憶部４２内に予め記憶されている場合は、制御部４０は、記憶部４２から撮影条件を取得すればよい。
【００６２】
次のステップＳ１０２で制御部４０は、撮影条件に基づいてトモシンセシス撮影を行うか否かを判定する。トモシンセシス撮影を行わない場合は通常撮影を行うため、否定判定となりステップＳ１０４へ移行する。
【００６３】
ステップＳ１０４で制御部４０は、通常撮影を行った後、撮影処理を終了する。本実施形態において通常撮影とは、トモシンセシス撮影と異なり、撮影中に放射線源２４を移動させず、入射角度を固定した状態で放射線源２４から乳房Ｎに放射線Ｒを照射して放射線画像の撮影を行うことをいう。通常撮影の例としては、ＣＣ（Cranio-Caudal）撮影やＭＬＯ（Medio-Lateral Oblique）撮影等が挙げられる。
【００６４】
通常撮影については詳細な記載を省略するが、圧迫板２６により乳房Ｎを圧迫し、撮影条件に基づいて放射線源２４から乳房Ｎに対して放射線Ｒを照射して放射線検出器３０により放射線画像を撮影した後、乳房Ｎの圧迫を解除することで行われる。
【００６５】
一方、ステップＳ１０２でトモシンセシス撮影を行うと判定した場合は肯定判定となり、ステップＳ１０６へ移行する。
【００６６】
ステップＳ１０６で制御部４０は、１枚の投影画像を撮影するために放射線源２４から出射する放射線Ｒの線量（以下、「１回の撮影における線量」という）と、入射角度が０度の撮影位置での撮影に要する放射線Ｒの全線量（以下、「０度の全線量」という）とから、入射角度が０度での撮影回数ｋを決定する。
【００６７】
本実施形態では、トモシンセシス撮影において、１回の撮影における線量は、乳房Ｎの厚み等に応じて予め定められており、撮影位置によらず同一である。また、０度の全線量は、詳細を後述する合成２次元画像に要求される画質等に応じて予め定められている。
【００６８】
そこで制御部４０は、０度の全線量を１回の撮影における線量で除算して得られた値に基づいて、０度での撮影回数ｋを決定する（ｋ＝０度の全線量／１回の撮影における線量、但しｋは整数）。なお、撮影回数ｋは整数であるため、０度の全線量が１回の撮影における線量で割り切れない場合は、余りを切り上げまたは切り捨てる。余りを切り上げるか切り捨てるかについては、放射線画像の画質や、被検者Ｗの被曝量等の観点に基づいて予め定めておけばよい。この場合、被検者Ｗの被曝量は、（撮影位置の数＋（ｋ−１））×１回の撮影における線量、となる。
【００６９】
次のステップＳ１０８で制御部４０は、ユーザが操作パネル４８を用いて行った圧迫指示に応じて圧迫板２６を撮影面２０に向けて移動させて乳房Ｎを圧迫する。なお、ステップＳ１００〜Ｓ１０２の処理は、乳房Ｎを圧迫した後に行ってもよいが、本実施形態のように乳房Ｎの圧迫前に行う方が、乳房Ｎを圧迫している時間を短縮することができる。
【００７０】
ステップＳ１０８の処理により乳房Ｎが圧迫されると、ユーザは、コンソール５０から操作部７２を用いて曝射指示を行う。
【００７１】
そこで、次のステップＳ１１０で制御部４０は、曝射指示が有ったか否かを判定する。曝射指示が有るまで否定判定となり、待機状態となる。一方、曝射指示が有った場合は肯定判定となり、ステップＳ１１２へ移行する。
【００７２】
ステップＳ１１２で制御部４０は、線源駆動部４６により放射線源２４の移動を開始させる。図６には、本実施形態のトモシンセシス撮影を説明するための前面図を示す。図６に示した例では、全撮影回数が１８回であり撮影位置Ｐ１〜Ｐ１８において投影画像を撮影する場合を示している。なお、この例では、入射角度が０度の撮影位置で４回（撮影回数ｋ＝４）、投影画像を撮影する場合を示している。そのため、撮影位置Ｐ８〜Ｐ１１は同じ位置である。
【００７３】
この場合、まず、最初の撮影位置に向けて放射線源２４の移動を開始させる。図６に示した具体例では、撮影位置Ｐ１に向け放射線源２４の移動を開始させる。
【００７４】
次にステップＳ１１４で制御部４０は、最初の撮影位置まで放射線源２４が移動したか否かを判定する。放射線源２４が未だ最初の撮影位置まで移動していない場合は否定判定となり、待機状態となる。一方、放射線源２４が最初の撮影位置まで移動した場合は肯定判定となり、ステップＳ１１６へ移行する。
【００７５】
ステップＳ１１６で制御部４０は、現在の放射線源２４による放射線Ｒの入射角度が０度の撮影位置であるか否かを判定する。入射角度が０度の撮影位置ではない場合は、否定判定となりステップＳ１２４へ移行する。図６に示した具体例では、トモシンセシス撮影の開始後、撮影位置がＰ１からＰ７までの間は否定判定となる。
【００７６】
ステップＳ１２４で制御部４０は、投影画像を撮影させる。具体的には、制御部４０は、放射線源２４から乳房Ｎに向けて放射線Ｒを出射させる制御、及び放射線検出器３０により投影画像を撮影させる制御を行う。放射線検出器３０による撮影により生成された投影画像は、制御部４０により、ゲイン補正、オフセット補正、及び欠陥画素補正等の必要な処理が行われた後、放射線Ｒの入射角度と対応付けて記憶部４２に記憶される。なお、ここで生成される投影画像のフォーマットは、例えば、ＲＡＷ画像フォーマット（Raw image format）が適用される。
【００７７】
投影画像が撮影されると、次のステップＳ１２６で制御部４０は、撮影（トモシンセシス撮影）を終了するか否かを判定する。未だ、全ての撮影位置において投影画像の撮影が行われていない場合は否定判定となり、ステップＳ１１４に戻る。なお、これ以降、ステップＳ１１４の処理を繰り返し実行する場合、撮影位置Ｐ２以降の各撮影位置まで放射線源２４が移動したか否かを撮影位置毎に判定する。
【００７８】
このようにして、トモシンセシス撮影が開始されると、まず、撮影開始位置（最初の撮影位置Ｐ１）から、放射線Ｒの入射角度が０度の直前の撮影位置（撮影位置Ｐ７）まで、ステップＳ１１４、Ｓ１１６、Ｓ１２４、Ｓ１２６の処理が繰り返される。
【００７９】
一方、入射角度が０度の撮影位置（撮影位置Ｐ８）の場合は、上記ステップＳ１１６で肯定判定となりステップＳ１１８へ移行する。
【００８０】
ステップＳ１１８で制御部４０は、線源駆動部４６により放射線源２４の移動を停止させる。
【００８１】
次のステップＳ１２０で制御部４０は、上記ステップＳ１２４と同様に投影画像を撮影させる。そして投影画像の撮影が終了するとステップＳ１２２へ移行する。
【００８２】
ステップＳ１２２で制御部４０は、入射角度が０度の撮影位置でｋ（図６に示した例では、ｋ＝４）回の投影画像の撮影を行ったか否かを判定する。未だ、撮影回数がｋ回に達していない場合は否定判定となって、ステップＳ１２０に戻り、投影画像の撮影を繰り返す。一方、撮影回数がｋ回に達した場合は、肯定判定となってステップＳ１１２に戻る。
【００８３】
この場合、ステップＳ１１２で制御部４０は、線源駆動部４６により放射線源２４の移動を再開させ、再びステップＳ１１４〜Ｓ１２６の処理を繰り返して、入射角度が０度より後の撮影位置における投影画像の撮影を行う。図６に示した具体例では、入射角度が０度の投影画像の撮影後、撮影位置が撮影位置Ｐ１２からＰ１８までの間はステップＳ１２６が否定判定となる。
【００８４】
そして全ての撮影位置において投影画像の撮影が行われると、上記ステップＳ１２６で肯定判定となり、ステップＳ１２８へ移行する。
【００８５】
ステップＳ１２８で制御部４０は、圧迫板２６による乳房Ｎの圧迫を解除させる。具体的には、制御部４０は、圧迫板２６を撮影面２０から離れる方向に移動させることにより乳房Ｎの圧迫を解除させた後、撮影処理を終了する。なお、本実施形態の放射線画像撮影システム１では、放射線画像撮影装置１０において撮影処理が終了すると、撮影によって得られた放射線画像（記憶部４２に記憶されている投影画像等）は、コンソール５０へ送信され、コンソール５０の記憶部６２に記憶される。コンソール５０に送信した後の放射線画像は、記憶部４２に記憶させておいてもよいし、記憶部４２から削除してもよい。
【００８６】
本実施形態の放射線画像撮影システム１では、上述の撮影処理により得られた投影画像に基づいて、合成２次元画像または再構成画像を生成し、表示させる。
【００８７】
なお、本実施形態において「合成２次元画像」とは、投影画像を合成して生成される擬似的な２次元画像のことをいう。また、「再構成画像」とは、断層画像ともいい、断層画像は、投影画像に基づいて再構成される。また、投影画像、合成２次元画像、及び再構成画像を総称する場合、以下では「放射線画像」という。
【００８８】
合成２次元画像または再構成画像を生成する生成処理は、放射線画像撮影装置１０及びコンソール５０のいずれで行ってもよいが、本実施形態では、放射線画像撮影装置１０が行う場合について説明する。放射線画像撮影装置１０が行う場合は、ＣＰＵ４０ＡがＲＯＭ４０Ｂに記憶されている生成処理プログラムを実行することにより、制御部４０が生成部として機能する。
【００８９】
次に、本実施形態の放射線画像撮影装置１０で行われる生成処理について説明する。なお、生成処理を行うタイミングは特に限定されず、上記撮影処理の終了後に引き続き生成処理を行ってもよいし、撮影処理の終了後、ユーザから操作パネル４８や操作部７２等により生成処理の実行指示を受け付けた場合等、投影画像を生成した後の何れのタイミングで生成処理を行ってもよい。
【００９０】
図７には、本実施形態の放射線画像撮影装置１０の制御部４０によって実行される生成処理の一例を表したフローチャートが示されている。
【００９１】
ステップＳ２００で制御部４０は、合成２次元画像を生成するか否かを判定する。合成２次元画像及び再構成画像のいずれを生成するかは、操作パネル４８等によりユーザが指示を行ってもよいし、撮影メニューに含まれる情報に関する条件等に応じて、自動的に選択する形態としてもよい。合成２次元画像を生成しない（再構成画像を生成する）場合は、否定判定となりステップＳ２０６へ移行する。
【００９２】
ステップＳ２０６で制御部４０は、記憶部４２に記憶されている全ての投影画像を読み出す。
【００９３】
次のステップＳ２０８で制御部４０は、ステップＳ２０６で読み出した全ての投影画像を用いて、再構成画像を生成した後、ステップＳ２１０へ移行する。再構成画像の生成方法は特に限定されず、公知の再構成方法を用いることができる。ここで、再構成画像の生成方法の具体例としては、シフト加算法の外、従来公知のＣＴ（Computed Tomography）再構成法を例示することができる。例えば、ＣＴ再構成法としては、代表的な手法であるＦＢＰ（Filtered Back Projection）法を例示することができる。ＦＢＰ法は、断層撮影の平行平面式断層走査をコーンビームＣＴ走査の一部として捉え、フィルタ逆投影法を拡張した再構成手法である。更にまた、再構成方法として、特開２０１１−１２５６９８号公報に記載の反復再構成法を用いることもできる。この反復再構成法もＣＴ用の再構成法ではあるが、ＦＢＰ法と同様に、トモシンセシス撮影時の再構成にも適用できる。
【００９４】
一方、合成２次元画像を生成する場合は、上記ステップＳ２００で肯定判定となり、ステップＳ２０２へ移行する。
【００９５】
ステップＳ２０２で制御部４０は、記憶部４２に記憶されている投影画像の内、入射角度が０度の投影画像のみを読み出す。図６に示した例の場合では、撮影位置Ｐ８〜Ｐ１１で撮影した４枚の投影画像を記憶部４２から読み出す。
【００９６】
次のステップＳ２０４で制御部４０は、ステップＳ２０２で読み出した投影画像を用いて、合成２次元画像を生成した後、ステップＳ２１０へ移行する。合成２次元画像の生成方法は特に限定されず、公知の合成２次元画像の生成方法を用いることができる。
【００９７】
ステップＳ２１０で制御部４０は、生成した画像（再構成画像または合成２次元画像）をＩ／Ｆ部４４を介してコンソール５０に出力した後、生成処理を終了する。なお、再構成画像または合成２次元画像の出力先は特に限定されず、コンソール５０以外であってもよいし、また、放射線画像撮影装置１０の外部に出力することなく、記憶部４２に記憶させてもよい。再構成画像または合成２次元画像がコンソール５０に出力された場合、コンソール５０は、入力された再構成画像または合成２次元画像を記憶部６２に記憶させ、また、表示部６８に表示させる。
【００９８】
なお、上記生成処理では、再構成画像及び合成２次元画像の一方を生成する場合について説明したが、再構成画像及び合成２次元画像の両方を生成してもよい。その場合は、ステップＳ２００の処理を行うことなく、ステップＳ２０２の処理の前、またはステップＳ２０４の処理の後にステップＳ２０６、Ｓ２０８の処理を行い、その後、ステップＳ２１０で生成した合成２次元画像及び再構成画像を出力すればよい。
【００９９】
また、上記生成処理では、入射角度が０度の撮影位置で撮影された投影画像に基づいて合成２次元画像を生成していたが、全ての投影画像に基づいて合成２次元画像を生成してもよい。図８には、この場合の本実施形態の放射線画像撮影装置１０の制御部４０によって実行される生成処理の一例を表したフローチャートが示されている。図８に示した生成処理では、図７に示した生成処理のステップＳ２０２に代わり、ステップＳ２０３が実行される。
【０１００】
図８に示した生成処理では、合成２次元画像を生成する場合（ステップＳ２００で肯定判定となった場合）、ステップＳ２０３で制御部４０は、記憶部４２に記憶されている全ての投影画像を読み出す。そして、次のステップＳ２０４で制御部４０は、ステップＳ２０３で読み出した全ての投影画像を用いて、合成２次元画像を生成する。なお、この場合の合成２次元画像の生成方法も、図７のステップＳ２０４と同様に特に限定されない。
【０１０１】
このように全ての投影画像に基づいて合成２次元画像を生成する場合、情報量が多くなるため、入射角度が０度の撮影位置で撮影された投影画像のみを用いて生成された合成２次元画像よりも画質が向上する。一方、入射角度が０度の撮影位置で撮影された投影画像のみに基づいて合成２次元画像を生成する場合は、生成時間を短くすることができる。また、この場合、トモシンセシス撮影の終了（全ての撮影位置での撮影の終了）を待たずに合成２次元画像を生成することができる。
［第２実施形態］
次に、第２実施形態について説明する。なお、第１実施形態に係る放射線画像撮影システム１及び放射線画像撮影装置１０と同様の部分については、同一符号を付して、詳細な説明を省略する。本実施形態の放射線画像撮影装置１０では、撮影処理が、第１実施形態と異なる。
【０１０２】
放射線画像撮影システム１及び放射線画像撮影装置１０の構成は、第１実施形態の放射線画像撮影システム１及び放射線画像撮影装置１０（図１〜図４参照）と同様のため、説明を省略する。
【０１０３】
本実施形態では、放射線画像撮影装置１０が行う撮影処理の一部が異なっているため、異なる処理について説明する。
【０１０４】
本実施形態の放射線画像撮影装置１０では、トモシンセシス撮影を行う場合入射角度範囲の大きさに応じて、入射角度が０度の撮影位置における撮影回数ｋが異なる。具体的には、入射角度範囲が大きく（広く）なるほど、撮影回数ｋが増加する。
【０１０５】
トモシンセシス撮影では入射角度範囲に応じて、投影画像を用いて生成される再構成画像の分解能が異なる。なお、本実施形態において「分解能」とは、再構成画像の法線方向（深さ方向）における分解能であり、放射線検出器３０の検出面３１の法線方向の分解能のことをいう。入射角度範囲が大きいほうが、再構成画像の分解能が高くなる。
【０１０６】
そのため、入射角度範囲が大きいトモシンセシス撮影は、精密検査を行う場合等に行われ、高画質な放射線画像（合成２次元画像及び再構成画像を含む）が望まれている。そこで、本実施形態の放射線画像撮影装置１０では、入射角度範囲が大きく（広く）なるほど、撮影回数ｋを増加させることにより、トモシンセシス撮影における総線量に占める０度の全線量の割合を、より多くすることができ、ノイズを低減できるため、合成２次元画像や再構成画像の画質が向上する。
【０１０７】
本実施形態の放射線画像撮影装置１０の撮影処理について説明する。図９には、本実施形態の放射線画像撮影装置１０の制御部４０によって実行される撮影処理の流れの一例を表したフローチャートが示されている。
【０１０８】
図９に示した本実施形態の撮影処理では、第１実施形態の撮影処理（図５参照）のステップＳ１００とＳ１０２との間に、ステップＳ１０１が加わっている。
【０１０９】
ステップＳ１０１で制御部４０は、入射角度範囲に基づいて０度の全線量を決定する。本実施形態の放射線画像撮影システム１では、入射角度範囲と０度の全線量との対応関係が予め定められており、記憶部４２または記憶部６２に記憶されている。そのため、制御部４０は、記憶部４２または記憶部６２から上記対応関係に基づいて、ステップＳ１００で取得した撮影条件に含まれる入射角度範囲に対応する０度の全線量を決定する。なお、撮影条件に０度の全線量が含まれている場合、本ステップＳ１０１を省略してもよい。
【０１１０】
このように０度の全線量を決定することにより、ステップＳ１０６で決定される入射角度が０度の撮影位置での撮影回数ｋが、入射角度範囲の大きさに応じた回数になる。
【０１１１】
図１０には、入射角度範囲が大きい（第１実施形態（図６参照）よりも大きい）場合のトモシンセシス撮影を説明するための前面図を示す。図１０に示した具体例では、全撮影回数が２０回であり、撮影位置Ｐ１からＰ２０において投影画像を撮影する場合を示している。図１０は、入射角度が０度の撮影位置で６回（撮影回数ｋ＝６）、投影画像を撮影する場合を示している。そのため、撮影位置Ｐ８からＰ１３は同じ位置である。
【０１１２】
本実施形態では、放射線源２４を移動させる所定角度θ（図３参照）は入射角度範囲に応じて異なるが、異なる撮影位置の数（入射角度が０度の撮影位置の重複回数を除いた撮影回数）は入射角度範囲にかかわらず同一である。
【０１１３】
上記撮影処理の実行により複数の投影画像が撮影され、記憶部４２に記憶された状態になる。投影画像により合成２次元画像または再構成画像を生成する生成処理は第１実施形態の生成処理（図７、８参照）と同様なため、説明を省略する。
【０１１４】
以上説明したように上記各実施形態の放射線画像撮影装置１０は、制御部４０が、放射線源２４を移動させて、放射線検出器３０の検出面３１に対する放射線Ｒの入射角度を、検出面３１に対する放射線Ｒの入射方向が検出面３１の法線方向となる第１角度（０度）、及び第１角度と異なる複数の第２角度を含む、複数の角度とする制御を行う。また、制御部４０は、入射角度が第１角度（０度）とされた放射線源２４の位置で放射線画像を複数回（ｋ回）撮影させ、入射角度が第２角度とされた放射線源２４の位置毎にｋ回より少ない回数で撮影させる制御を行う。
【０１１５】
このように上記各実施形態の放射線画像撮影装置１０では、トモシンセシス撮影における総線量に占める０度の全線量の割合を多くすることができ、ノイズを低減することができるため、最終的に生成される放射線画像（合成２次元画像や再構成画像）の画質が向上する。また、総線量に占める０度の全線量の割合を自由に設定することができる。
【０１１６】
また、０度の全線量が多くなるため、０度の放射線画像（０度の投影画像の総合）のＳＮ比（Signal/Noise ratio、シグナルの強さ）を高くすることができる。これにより、石灰化等の淡い信号が見易くなり、形状で良性か悪性かを鑑別する所見を行う場合に形状の識別が容易になる。
【０１１７】
また、上記各実施形態では、放射線Ｒの入射角度が０度の位置で撮影を行う場合は、放射線源２４を移動させながら放射線Ｒを出射して撮影を行うのではなく、放射線源２４の移動を停止した状態で放射線Ｒを出射して撮影を行っている。そのため、放射線Ｒの出射中に放射線源２４が移動することがないので、投影画像がぶれる（画像が流れる）ことがなく、放射線画像の画質を向上させることができる。また、放射線Ｒの入射角度が０度の位置以外では、放射線源２４を移動させながら放射線Ｒを出射して撮影を行うため、撮影位置において放射線源２４を停止させる場合よりも高速にトモシンセシス撮影を行うことができる。
【０１１８】
また、上記各実施形態では、１回のトモシンセシス撮影により得られた投影画像を用いて、合成２次元画像及び再構成画像の両方を生成することができる。そのため、合成２次元画像及び再構成画像の各々を生成するための放射線画像（投影画像）の撮影を個別に行う場合に比べて、被検者Ｗの被曝量を低減することができる。
【０１１９】
なお、上記各実施形態では、放射線源２４を連続的に移動させてトモシンセシス撮影を行う場合について説明したが、これに限らず、放射線源２４を断続的に移動させながらトモシンセシス撮影を行ってもよい。断続的に移動させる撮影方法としては、例えば、放射線源２４を各撮影位置まで移動させた後、一旦停止し、放射線源２４から放射線Ｒを出射するのを繰り返せばよい。また、放射線源２４を移動させながら各撮影位置に達した際に、放射線源２４から放射線Ｒを出射し、一旦停止後、再び放射線源２４を移動させるのを繰り返してもよい。
【０１２０】
なお、上記各実施形態では、０度の全線量に応じて入射角度が０度での撮影回数ｋを決定していたが、撮影回数ｋを入射角度範囲に応じて予め定めておき、撮影条件に含めておいてもよい。
【０１２１】
なお、上記各実施形態では、撮影位置にかかわらず１回の撮影における線量を同一としたが、入射角度が０度の撮影位置における１回の撮影における線量は、他の入射角度とされた撮影位置における線量と異なっていてもよい。なお、入射角度が０度の撮影位置における撮影のうち、少なくとも１回は、他の入射角度とされた撮影位置における線量と同一であることが好ましく、特に上記各実施形態のように、全ての撮影における線量を同一とすることにより、再構成画像を生成するアルゴリズムを容易にすることができる。
【０１２２】
なお、上記第２実施形態では、入射角度範囲にかかわらず、異なる撮影位置の数（入射角度が０度の撮影位置の重複回数を除いた撮影回数）が同一の場合について説明したが、入射角度範囲に応じて異なる撮影位置の数を変更してもよい。例えば、入射角度範囲にかかわらず、撮影位置（放射線源２４の移動）の基準となる上記所定角度θを同一とすることにより、入射角度範囲が大きくなるほど、異なる撮影位置の数は多くなる。また、この場合、異なる撮影位置の数に応じて、０度での撮影回数ｋを変化（例えば、異なる撮影位置の数が多くなるほど、撮影回数ｋを多くする）させてもよい。
【０１２３】
なお、上記各実施形態では、入射角度が０度の撮影位置以外の撮影位置では、１回（１枚）づつ投影画像を撮影していたが、撮影回数は１回に限らず、０度での撮影回数ｋよりも少ない回数であれば、複数回であってもよい。
【０１２４】
なお、上記各実施形態では、放射線画像撮影装置１０が線源制御部、撮影制御部、及び生成部としての機能を備える場合について説明したが、コンソール５０または、放射線画像撮影装置１０及びコンソール５０と異なる外部の制御装置が各部の機能の一部または全部を備えていてもよい。
【０１２５】
なお、上記各実施形態の放射線画像撮影装置１０では、被検者Ｗの乳房Ｎを被写体としたが、被写体は、乳房Ｎに限られず、例えば、人体の他の部位や、人間以外の生物や物体（無機物）であってもよい。
【０１２６】
なお、上記各実施形態における放射線Ｒは、特に限定されるものではなく、Ｘ線やγ線等を適用することができる。
【０１２７】
その他、上記各実施形態で説明した放射線画像撮影システム１、放射線画像撮影装置１０、及びコンソール５０等の構成及び動作等は一例であり、本発明の主旨を逸脱しない範囲内において状況に応じて変更可能であることはいうまでもない。
【符号の説明】
【０１２８】
１    放射線画像撮影システム
１０  放射線画像撮影装置
２４  放射線源
３０  放射線検出器
３１  検出面
４０、６０  制御部
５０  コンソール
Ｎ  乳房
【図１】
0006475138.tif 000002
【図２】
0006475138.tif 000003
【図３】
0006475138.tif 000004
【図４】
0006475138.tif 000005
【図５】
0006475138.tif 000006
【図６】
0006475138.tif 000007
【図７】
0006475138.tif 000008
【図８】
0006475138.tif 000009
【図９】
0006475138.tif 000010
【図１０】
0006475138.tif 000011